(57)【要約】【課題】機能ケースの底面に浸入した水を、便器ボウル部を介することなく排水することができ、また、機能ケースを便器本体にコンパクトに取り付けることができる機能ケースの便器への取付構造を提供する。【解決手段】局部洗浄ノズル６を内蔵した機能ケース１を便器ボウル部２の後方に配置したものにおいて、該機能ケース１に、機能ケース１の底面１ａに浸入した水を排水する排水孔３を設け、便器ボウル部２の水を排水する第一排水路４と上記排水孔３とを連通する第二排水路５を設け、該第二排水路５に封水トラップ部５ａを設ける。【選択図】図１
2011132701.tif 000002
【特許請求の範囲】
【請求項１】
局部洗浄ノズルを内蔵した機能ケースを便器ボウル部の後方に配置したものにおいて、
該機能ケースに、機能ケースの底面に浸入した水を排水する排水孔を設け、便器ボウル部の水を排水する第一排水路と上記排水孔とを連通する第二排水路を設け、該第二排水路に封水トラップ部を設けたことを特徴とする機能ケースの便器への取付構造。
【発明の詳細な説明】
【技術分野】
【０００１】
本発明は、便器本体に機能ケースを取り付ける機能ケースの便器への取付構造に関するものである。
【背景技術】
【０００２】
図４には、特許文献１に記載される従来の機能ケースの便器への取付構造を示している。この取付構造においては、機能ケース１に内蔵した局部洗浄ノズル（図示せず）から零れ落ちた洗浄水や、便器ボウル部２から機能ケース１の局部洗浄ノズル等の出入孔に跳ねて入り込んだ洗浄水や汚水などの、機能ケース１の底面１ａに浸入した水を排水するために、機能ケース１を便器ボウル部２の後方の便器本体１１に、機能ケース１の底面１ａが便器ボウル部２の開口部２ａよりも高く位置するように配置していた。
【０００３】
しかし、このような構成であっては、機能ケース１の底面１ａに浸入した水は、便器ボウル部２を介して排水するため、機能ケース１からの排水で生じる排水跡が便器ボウル部２に残ってしまうという問題があった。
【０００４】
また、機能ケース１の底面１ａに浸入した水を、便器ボウル部２を介して排水するために機能ケース１は、便器ボウル部２の開口部２ａよりも高い位置に配置しなければならないという問題があった。
【先行技術文献】
【特許文献】
【０００５】
【特許文献１】特開２００３−４１６４５号公報
【発明の概要】
【発明が解決しようとする課題】
【０００６】
本発明は上記事情を鑑みて発明したものであって、機能ケースの底面に浸入した水を、便器ボウル部を介することなく排水することができ、また、機能ケースを便器本体にコンパクトに取り付けることができる機能ケースの便器への取付構造を提供することを課題とする。
【課題を解決するための手段】
【０００７】
上記課題を解決するための本発明の機能ケースの便器への取付構造は、局部洗浄ノズル６を内蔵した機能ケース１を便器ボウル部２の後方に配置したものにおいて、該機能ケース１に、機能ケース１の底面１ａに浸入した水を排水する排水孔３を設け、便器ボウル部２の水を排水する第一排水路４と上記排水孔３とを連通する第二排水路５を設け、該第二排水路５に封水トラップ部５ａを設けたことを特徴とする。
【０００８】
このような構成とすることで、局部洗浄ノズル６から零れ落ちたり、便器ボウル部２から跳ねてきたりして、機能ケース１の底面１ａに浸入した水を、便器ボウル部２を介することなく、機能ケース１に設けた排水孔３から第二排水路５を通って、便器ボウル部２の水を排水する第一排水路４に直接、排水することができる。そのため、便器ボウル部２には機能ケース１からの排水で生じていた排水跡ができない。また、第二排水路５には、封水トラップ部５ａを設けているので、第一排水路４から汚水や汚物等の臭いが上がってくることを防止することができる。また、機能ケース１の底面１ａに浸入した水を、便器ボウル部２を介さず排水できるので、機能ケース１の底面１ａは便器ボウル部２の開口部２ａよりも低い位置に設けることができて、機能ケース１を便器本体１１にコンパクトに取り付けることができる。
【発明の効果】
【０００９】
本発明の機能ケースの便器への取付構造は、機能ケースの底面に浸入した水を、便器ボウル部を介することなく、排水することができ、また、機能ケースを便器本体にコンパクトに取り付けることができる。
【図面の簡単な説明】
【００１０】
【図１】本発明の一実施形態の機能ケースの便器への取付構造を示す側面断面図である。
【図２】本発明の他の実施形態の機能ケースの便器への取付構造を示す側面断面図である。
【図３】本発明の実施形態の第二排水路の構造を示す説明図である。
【図４】従来の機能ケースの便器への取付構造を示す側面断面図である。
【発明を実施するための形態】
【００１１】
以下、本発明を添付図面に示す実施形態に基いて説明する。
【００１２】
本発明の一実施形態の機能ケースの便器への取付構造は、図１に示すように、陶器製品或いは樹脂成型品である便器本体１１の前部に、上方へ開口した便器ボウル部２が形成されており、この便器ボウル部２の底部後部に排出孔１２が形成されている。排出孔１２には、自由端とした後端が上下方向に反転自在に形成されたターントラップ部１３の前端が接続されており、その接続部近傍には、ターントラップ部１３の外側からトラップケース１４が隙間なく嵌合している。このターントラップ部１３はトラップケース１４内に収容されると共に、便器本体１１の後部スペース１５内に設置されている。そして、トラップケース１４の底部には排出筒１６が下方に向けて延設されており、排出筒１６は下水管に接続されている。よって、ターントラップ部１３が下方へ回動されると、便器ボウル部２及びターントラップ部１３内の洗浄水や汚水や汚物等は、便器ボウル部２の排出孔１２の下流側に設けられたトラップケース１４を通って、便器本体１１の外部下方の下水管等へと排出除去される。
【００１３】
便器ボウル部２の後方の便器本体１１上には機能ケース１が設置固定されており、機能ケース１には、便座１７及び便蓋１８が上下回動可能なように枢支されている。便座１７は便器ボウル部２の周縁上端上に着脱自在に載置され、便蓋１８は便器ボウル部２の上方開口を便座１７の上から開閉する。同便座１７及び便蓋１８は電動で開閉回動されてもよいし、手動で開閉回動されてもよい。
【００１４】
また、機能ケース１には、使用者の局部に洗浄水を吐出する局部洗浄ノズル６や洗浄後の局部を乾燥させる乾燥装置（図示せず）が内蔵されている。局部洗浄ノズル６は、便器ボウル部２の上部の開口部２ａに出し入れ自在となるように、機能ケース１内に設けられている。この局部洗浄ノズル６は、図３に示すように、機能ケース１内で供給流路７の下流側先端に接続されている。また、供給流路７の途中には、電動開閉弁８が設けられていて、外部に設けられるコントローラの局部洗浄スイッチ（図示せず）が押されると、電動開閉弁８が開いて、局部洗浄ノズル６に洗浄水が供給される。供給流路７の上流側先端は、上水道である供給源２１に接続されている。
【００１５】
本発明の一実施形態の機能ケースの便器への取付構造について、特徴的な構造をさらに詳しく説明すると、図１に示すように、機能ケース１の底面１ａには、排水孔３が下方に向けて穿設されている。また、トラップケース１４からなる第一排水路４には、連通孔２０が設けられていて、排水孔３を上流端とし連通孔２０を下流端とする第二排水路５で、排水孔３と第一排水路４とは連通している。このような構成とすることで、局部洗浄ノズル６から零れ落ちた洗浄水や、便器ボウル部２から機能ケース１の局部洗浄ノズル６等の出入孔に跳ねて入り込んだ洗浄水や汚水などの、機能ケース１の底面１ａに浸入した水は、便器ボウル部２を介することなく、排水孔３を通じて排水可能となっている。よって、便器ボウル部２には、機能ケース１からの排水で生じていた排水跡ができなくなって、外観が良い。
【００１６】
第二排水路５の連通孔２０は、トラップケース１４の上部に下方に向けて開口するように設けられており、ターントラップ部１３が下方に回動して洗浄水や汚水や汚物等が排出される際に、洗浄水等が連通孔２０に接触しないような高さ位置に設けられている。このように連通孔２０を設けることで、連通孔２０が汚物等で詰まったり、洗浄水や汚水が連通孔２０から入り込んで第二排水路５内を逆流することを防止することができる。
【００１７】
また、第二排水路５は途中で上下に湾曲する封水トラップ部５ａを設けており、第一排水路４から汚水や汚物等の臭いが上がってこないようになっている。
【００１８】
また、便器ボウル部２の後方の便器本体１１上に設置固定された機能ケース１は、機能ケース１の底面１ａが、便器ボウル部２の開口部２ａの上端よりも低く位置するように、便器本体１１に設置されている。それに併せて、機能ケース１の上面も従来と比べて低く位置することになる。ここで、機能ケース１は、底壁がトラップケース１４の上面に接触するまでの範囲内で低く設置可能であり、機能ケース１は便器本体１１にコンパクトに取り付けることができる。
【００１９】
次に、図２に示す本発明の他の実施形態の機能ケースの便器への取付構造について説明する。なお、上述の実施形態と同じ構造については説明を省略する。
【００２０】
便器ボウル部２の底部後部の排出孔１２は、上下に湾曲する固定トラップ部１９の上流端に連通している。固定トラップ部１９の下流端は排出ユニット２２に接続されており、排出ユニット２２は、下水管に接続されている。この排出ユニット２２からなる第一排水路４に、連通孔２０が設けられていて、排水孔３を上流端とし連通孔２０を下流端とする第二排水路５で、排水孔３と第一排水路４とは連通している。
【００２１】
固定トラップ部１９の下流端と第二排水路５の連通孔２０とは、距離をおいて、排出ユニット２２の上面に略垂直に接続されている。このように連通孔２０を設けることで、便器ボウル部２から排出された汚物等で連通孔２０が詰まったり、便器ボウル部２から排出された洗浄水や汚水が連通孔２０から入り込んで第二排水路５内を逆流することを防止することができる。
【００２２】
また、便器ボウル部２の後方の便器本体１１上に設置固定された機能ケース１は、機能ケース１の底面１ａが、便器ボウル部２の開口部２ａの上端よりも低く位置するように、便器本体１１に設置されている。それに併せて、機能ケース１の上面も従来と比べて低く位置することになる。ここで、機能ケース１は、底壁が固定トラップ部１９の上面に接触するまでの範囲内で低く設置可能であり、機能ケース１は便器本体１１にコンパクトに取り付けることができる。
【００２３】
上述した一実施形態及び他の実施形態に示すように機能ケース１を便器本体１１に取り付ける取付構造を設けることで、局部洗浄ノズル６から零れ落ちたり、便器ボウル部２から跳ねてきたりして、機能ケース１の底面１ａに浸入した水を、便器ボウル部２を介することなく、機能ケース１に設けた排水孔３から第二排水路５を通って、便器ボウル部２の水を排水する第一排水路４に直接、排水することができる。そのため、便器ボウル部２には機能ケース１からの排水で生じていた排水跡ができない。また、第二排水路５には、封水トラップ部５ａを設けているので、第一排水路４から汚水や汚物等の臭いが上がってくることを防止することができる。また、機能ケース１の底面１ａに浸入した水を、便器ボウル部２を介さず排水できるので、機能ケース１の底面１ａは便器ボウル部２の開口部２ａよりも低い位置に設けることができて、機能ケース１を便器本体１１にコンパクトに取り付けることができる。
【００２４】
また、第一排水路４（トラップケース１４又は排出ユニット２２）に、便器ボウル部２からの排水が影響しないように連通孔２０を設けて、排水孔３と第一排水路４とを連通させたことで、常時、機能ケース１の底面１ａに溜まった水を排水することができる。
【００２５】
次に、上述の一実施形態及び他の実施形態における機能ケース１と第二排水路５の構成について更に詳しく説明する。
【００２６】
図３に示すように、第二排水路５と、局部洗浄ノズル６の供給流路７とは、第二供給流路９を介して連通している。詳しくは、排水孔３と封水トラップ部５ａの間の第二排水路５に第二供給流路９の下流端が接続していて、電動開閉弁８と供給源２１との間の供給流路７に第二供給流路９の上流端が接続している。第二供給流路９の途中には、第二電動開閉弁１０が設けられていて、定期的に開いて、一定量の水を第二排水路５の封水トラップ部５ａに供給する。
【００２７】
このような構成とすることで、機能ケース１の底面１ａに水がほとんど浸入せず、封水トラップ部５ａの水が蒸発して封水トラップ部５ａを十分に封水できないような状況であっても、封水トラップ部５ａを封水できる一定量の水を定期的に供給して、第一排水路４から汚水や汚物の臭いが上がってくることを防止できる。
【００２８】
なお、上述の実施形態では特に言及しなかったが、機能ケース１の底面１ａは、排水孔３に近づくほど下方に位置するように傾斜していてもよい。このようにすれば、底面１ａに浸入した水を排水孔３に集めることができる。また、機能ケース１の底面１ａ上に設けるリブ（図示せず）には、その基部に通水孔を設けていてもよい。このようにすれば、排水孔３に水が集まる際にリブで遮られてしまうことはない。また、排水孔３は、１つ設けていたが、２つ以上設けても構わない。その場合、同じ排水路を使って排水されるようにしても良いし、別途新たに排水路を設けても構わない。また、第二排水路５の連通孔２０は、下方に向けて開口するとしたが、斜め下方に向けて開口しても構わない。
【００２９】
また、図１、図２に示す実施形態では、底面１ａを機能ケース１の底壁の内側（上側）の面としていたが、底面１ａを、上記局部洗浄ノズル６や乾燥装置等の収納物の下面を覆って、下方からの水の浸入等を防ぐものとし、底面１ａの下方に、底面１ａの下面を覆う面を更に形成してもよい。また、そのようにして設ける底面１ａの機能ケース１内の高さ位置は、機能ケース１全体の大きさから見て、中間位置であっても構わない。この場合、機能ケース１の底壁に、第２排水路５が貫通する貫通孔を設ければよい。
【００３０】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００３１】
１    機能ケース
１ａ  底面
２    便器ボウル部
３    排水孔
４    第一排水路
５    第二排水路
５ａ  封水トラップ部
６    局部洗浄ノズル
７    供給流路
８    電動開閉弁
９    第二供給流路
１０  第二電動開閉弁
１１  便器本体
１２  排出孔
１３  ターントラップ部
１４  トラップケース
１５  後部スペース
１６  排出筒
１７  便座
１８  便蓋
１９  固定トラップ部
２０  連通孔
２１  供給源
２２  排出ユニット
【図１】
2011132701.tif 000003
【図２】
2011132701.tif 000004
【図３】
2011132701.tif 000005
【図４】
2011132701.tif 000006